(57)【要約】【課題】ペンによる入力が行われる際にタッチ入力を確実に無効とすることができる情報端末装置を提供する。【解決手段】情報端末装置１は、タッチ入力を受け付けるタッチパッド１２ｂと、デジタイザペン１３による入力を受け付けるデジタイザセンサ１２ｃと、タッチパッド１２ｂに対するタッチ入力を無効にするための操作がなされるタッチ切替スイッチ１４と、制御部２１と、を備える。制御部２１は、タッチ切替スイッチ１４にタッチ入力を無効にするための操作がなされた場合、タッチパッド１２ｂに対するタッチ入力を無効にする。また、制御部２１は、タッチ切替スイッチ１４にタッチ入力を無効にするための操作がなされていない場合、デジタイザセンサ１２ｃにデジタイザペン１３が近接していると判定すると、タッチパッド１２ｂに対するタッチ入力を無効にする。【選択図】図３
2016218884.tif 000002
【特許請求の範囲】
【請求項１】
タッチ入力を受け付ける第１入力受付部と、
筆記具による入力を受け付ける第２入力受付部と、
前記第１入力受付部に対する前記タッチ入力を無効にするための操作がなされる操作部と、
制御部と、を備え、
前記制御部は、
前記操作部に前記タッチ入力を無効にするための操作がなされた場合、前記第１入力受付部に対する前記タッチ入力を無効にし、
前記操作部に前記タッチ入力を無効にするための操作がなされていない場合、前記第２入力受付部に前記筆記具が近接しているか否かを判定し、前記第２入力受付部に前記筆記具が近接していると判定すると、前記第１入力受付部に対する前記タッチ入力を無効にする、
ことを特徴とする情報端末装置。
【請求項２】
請求項１に記載の情報端末装置において、
前記筆記具と前記第２入力受付部は、電磁式のデジタイザを構成する、
ことを特徴とする情報端末装置。
【請求項３】
請求項１または２に記載の情報端末装置において、
前記制御部は、前記第１入力受付部からの信号をアプリケーションの実行部に通知しないことにより、前記第１入力受付部に対する前記タッチ入力を無効にする、
ことを特徴とする情報端末装置。
【請求項４】
請求項１ないし３の何れか一項に記載の情報端末装置において、
前記操作部は、装置本体に配されたメカニカルスイッチからなる、
ことを特徴とする情報端末装置。
【請求項５】
請求項１ないし４の何れか一項に記載の情報端末装置において、
前記操作部は、前記第１入力受付部に対する前記タッチ入力を無効にする状態と有効にする状態に切り替え可能である、
ことを特徴とする情報端末装置。
【請求項６】
請求項５に記載の情報端末装置において、
前記操作部に対する操作とは別の操作により前記第１入力受付部に対する前記タッチ入力を有効にすることが可能な復帰操作部をさらに備え、
前記制御部は、前記復帰操作部に前記タッチ入力を有効にするための操作がなされた場合、前記第１入力受付部に対する前記タッチ入力を有効にする、
ことを特徴とする情報端末装置。
【請求項７】
請求項６に記載の情報端末装置において、
前記復帰操作部は、複数のボタンからなり、
前記制御部は、前記複数のボタンが所定時間以上同時に押されることにより、前記第１入力受付部に対する前記タッチ入力を有効にする、
ことを特徴とする情報端末装置。
【請求項８】
請求項１ないし７の何れか一項に記載の情報端末装置において、
前記制御部は、前記第１入力受付部の検出信号にノイズが重畳された場合に、前記第１入力受付部を一時的に無効にする、
ことを特徴とする情報端末装置。
【発明の詳細な説明】
【技術分野】
【０００１】
本発明は、手書き入力デバイスを備えた情報端末装置に関する。
【背景技術】
【０００２】
タブレット端末等の情報端末装置では、ペンによる入力および指等によるタッチ入力が可能なものが知られている。このような情報端末装置では、ペンによる入力が行われる際に、タッチ入力がなされることを防止するための構成がとられうる。
【０００３】
たとえば、特許文献１に記載の入力システムでは、電子ペンのスイッチを操作することにより、タッチパネルの入力機能がオンおよびオフの間で切り替えられる。また、特許文献２に記載の情報入力処理装置では、ペンが電磁誘導方式タブレットデバイスに接近すると、タッチ入力が無効とされる。
【先行技術文献】
【特許文献】
【０００４】
【特許文献１】特開２０１２−１４６０１１号公報
【特許文献２】特開平９−１３８７３０号公報
【発明の概要】
【発明が解決しようとする課題】
【０００５】
しかしながら、特許文献１の入力システムでは、ユーザが、電子ペンに対するスイッチ操作を忘れた状態で、ペンによる入力を行うことが起こり得る。この場合、たとえば、ペンより先にユーザの手、指等がタッチパネルに触れると、ユーザが意図しない入力が有効に受け付けられてしまうとの問題が生じる。また、特許文献２の情報入力処理装置では、たとえば、ユーザが右手にペンを持って考えている間に、うっかり左手がタッチパネルに置かれると、左手のタッチが検出される。この場合も、ユーザが意図しない入力が有効に受け付けられてしまうとの問題が生じる。
【０００６】
かかる課題に鑑み、本発明は、ペンによる入力が行われる際にタッチ入力を確実に無効とすることができる情報端末装置を提供することを目的とする。
【課題を解決するための手段】
【０００７】
本発明の主たる態様に係る情報端末装置は、タッチ入力を受け付ける第１入力受付部と、筆記具による入力を受け付ける第２入力受付部と、前記第１入力受付部に対する前記タッチ入力を無効にするための操作がなされる操作部と、制御部と、を備える。前記制御部は、前記操作部に前記タッチ入力を無効にするための操作がなされた場合、前記第１入力受付部に対する前記タッチ入力を無効にする。また、前記制御部は、前記操作部に前記タッチ入力を無効にするための操作がなされていない場合、前記第２入力受付部に前記筆記具が近接しているか否かを判定し、前記第２入力受付部に前記筆記具が近接していると判定すると、前記第１入力受付部に対する前記タッチ入力を無効にする。
【０００８】
本態様に係る情報端末装置によれば、ユーザは、筆記具による入力を行う際に、操作部に対してタッチ入力を無効にする操作を行って、タッチ入力を無効にできる。また、操作部に対してタッチ入力を無効にする操作が行われていない場合にも、ユーザにより筆記具が第２入力受付部に近付けられると、タッチ入力が無効とされる。これにより、ユーザは、筆記具による入力を行う際に、誤ってタッチ入力が受け付けられてしまうことを確実に防止できる。
【０００９】
本態様に係る情報端末装置において、前記筆記具と前記第２入力受付部は、電磁式のデジタイザにより構成され得る。こうすると、筆記具による入力を受け付けること、および、筆記具の近接を検出することを、簡素な構成で実現できる。
【００１０】
本態様に係る情報端末装置において、前記制御部は、前記第１入力受付部からの信号をアプリケーションの実行部に通知しないことにより、前記第１入力受付部に対する前記タッチ入力を無効にする構成とされ得る。こうすると、タッチ入力を無効にするために第１入力受付部の動作自体が無効にされるような場合に比べて、第１入力受付部に対するタッチ入力を円滑に無効にすることができる。
【００１１】
本態様に係る情報端末装置において、前記操作部は、装置本体に配されたメカニカルスイッチから構成され得る。こうすると、ユーザは、タッチ入力を無効にしたい場合に、容易にタッチ入力を無効にすることができる。
【００１２】
本態様に係る情報端末装置において、前記操作部は、前記第１入力受付部に対する前記タッチ入力を無効にする状態と有効にする状態に切り替え可能となっている。こうすると、ユーザは、操作部に対して操作を行うことにより、第１入力受付部に対するタッチ入力を有効および無効に切り替えることができる。
【００１３】
この場合、本態様に係る情報端末装置は、前記操作部に対する操作とは別の操作により前記第１入力受付部に対する前記タッチ入力を有効にすることが可能な復帰操作部をさらに備える構成とされ得る。前記制御部は、前記復帰操作部に前記タッチ入力を有効にするための操作がなされた場合、前記第１入力受付部に対する前記タッチ入力を有効にする構成とされ得る。こうすると、操作部に対してタッチ入力を無効にするための操作が行われた後で、たとえば故障により操作部に対してタッチ入力を有効にするための操作を行うことが出来なくなった場合でも、ユーザは、復帰操作部を操作することにより、タッチ入力を有効にすることができる。
【００１４】
この場合、前記復帰操作部は、複数のボタンからなり、前記制御部は、前記複数のボタンが所定時間以上同時に押されることにより、前記第１入力受付部に対する前記タッチ入力を有効にする構成とされ得る。こうすると、復帰操作部に対するタッチ入力を有効にするための操作は、通常の使用状況では起こりにくくなる。したがって、操作部に対してタッチ入力を無効にするための操作が行われた後で、ユーザの意図に反してタッチ入力が有効になってしまうことを防止できる。
【００１５】
本態様に係る情報端末装置において、前記制御部は、前記第１入力受付部の検出信号にノイズが重畳された場合に、前記第１入力受付部を一時的に無効にする構成とされ得る。こうすると、たとえば情報端末装置内のノイズにより第１入力受付部にノイズが重畳されたような場合、第１入力受付部が一時的に無効とされるため、第１入力受付部の検出信号をもとに情報端末装置が誤動作してしまうことを防止できる。
【発明の効果】
【００１６】
以上のとおり、本発明によれば、ペンによる入力が行われる際にタッチ入力を確実に無効とすることができる情報端末装置を提供することができる。
【００１７】
本発明の効果ないし意義は、以下に示す実施形態の説明により更に明らかとなろう。ただし、以下に示す実施形態は、あくまでも、本発明を実施化する際の一つの例示であって、本発明は、以下の実施形態に記載されたものに何ら制限されるものではない。
【図面の簡単な説明】
【００１８】
【図１】図１（ａ）は、実施形態に係る情報端末装置の正面図であり、図１（ｂ）は、実施形態に係る情報端末装置の断面の一部を示す図である。
【図２】図２（ａ）、（ｂ）は、実施形態に係る情報端末装置の上面の一部を示す図であり、図２（ｃ）は、実施形態に係る情報端末装置の右側面の一部を示す図である。
【図３】図３は、実施形態に係る情報端末装置の構成を示すブロック図である。
【図４】図４は、実施形態に係るタッチパッドがタッチ入力を検出した場合の、制御部による処理を示すフローチャートである。
【図５】図５は、実施形態に係る情報端末装置の側面に配されたボタンが押された場合の、制御部による処理を示すフローチャートである。
【図６】図６（ａ）、（ｂ）は、それぞれ、実施形態に係るタッチ切替スイッチがオンのときの、タッチ入力およびデジタイザペンによる入力について説明する図である。
【図７】図７（ａ）、（ｂ）は、実施形態に係るタッチ切替スイッチがオフのときの、デジタイザペンによる入力について説明する図である。
【図８】図８は、変更例に係る情報端末装置の側面に配されたボタンが押された場合の、制御部による処理を示すフローチャートである。
【図９】図９は、変更例に係るタッチパッドがタッチ入力を検出した場合の、制御部による処理を示すフローチャートである。
【発明を実施するための形態】
【００１９】
以下に示す実施形態では、情報端末装置の一種であるタブレット端末に本発明を適用したものである。なお、本発明は、タブレット端末に限らず、携帯電話機やノートパソコン等、他の種類の情報端末装置に適用されても良い。
【００２０】
図１（ａ）は、情報端末装置１の正面図であり、図１（ｂ）は、情報端末装置１の断面の一部を示す図であり、図２（ａ）、（ｂ）は、情報端末装置１の上面の一部を示す図であり、図２（ｃ）は、情報端末装置１の右側面の一部を示す図である。図１（ａ）〜図２（ｃ）には、便宜上、互いに直交するＸＹＺ軸が示されている。
【００２１】
図１（ａ）に示すように、情報端末装置１は、筐体１１と、タッチパネル１２と、デジタイザペン１３と、を備える。筐体１１には、デジタイザペン１３を収容するための収容部１１ａが設けられている。デジタイザペン１３の先端１３ａには、巻線コイルとコンデンサが配されている。
【００２２】
図１（ｂ）に示すように、タッチパネル１２は、液晶表示部１２ａと、タッチパッド１２ｂと、デジタイザセンサ１２ｃと、カバー１２ｄと、が重ねられた構成となっている。液晶表示部１２ａは、液晶パネルと、液晶パネルを照明するＬＥＤバックライトとを含み、各種の画像を表示する。
【００２３】
タッチパッド１２ｂは、透明であり、液晶表示部１２ａの表示面上に配され、指等による入力（以下、「タッチ入力」という）を受け付ける。タッチパッド１２ｂは、静電容量式のタッチパッドである。タッチパッド１２ｂは、タッチ入力が行われると、静電容量の変化に基づいてタッチ入力を検出し、タッチされた位置を示す座標信号と、タッチされた面積を示す面積信号とを出力する。なお、タッチパッド１２ｂが、複数のタッチを同時に検出できる、いわゆるマルチタッチに対応したタッチパッドである場合、タッチパッド１２ｂは、上記のような座標信号および面積信号を、タッチの数だけ出力する。
【００２４】
デジタイザセンサ１２ｃは、液晶表示部１２ａの表示面下に配され、デジタイザペン１３による入力を受け付ける。デジタイザセンサ１２ｃは、デジタイザペン１３とともに、電磁式のデジタイザを構成する。デジタイザセンサ１２ｃには、各座標位置にセンサコイルが配されている。デジタイザセンサ１２ｃは、一定周期で各センサコイルに交流電流を流す。
【００２５】
デジタイザペン１３がデジタイザセンサ１２ｃに接近すると、デジタイザセンサ１２ｃの各センサコイルに流れる交流電流によって、デジタイザペン１３の巻線コイルに誘導起電力が生じる。デジタイザペン１３では、この誘導起電力によって、巻線コイルとコンデンサからなるＬＣ共振回路に電流が流れる。こうして巻線コイルに電流が流れると、デジタイザセンサ１２ｃ側のセンサコイルのうち、デジタイザペン１３付近のセンサコイルに誘導起電力が生じる。デジタイザセンサ１２ｃは、最も大きな誘導起電力が生じたセンサコイルを特定し、このセンサコイルの座標位置を示す座標信号を出力する。
【００２６】
デジタイザペン１３は、カバー１２ｄの表面に押し当てられると、デジタイザペン１３の内部に配された巻線コイルが縮むように構成されている。デジタイザペン１３がカバー１２ｄの表面に押し当てられることにより巻線コイルが縮むと、デジタイザセンサ１２ｃのセンサコイルを流れる電流量が変化する。デジタイザセンサ１２ｃは、この電流量の変化に応じて、デジタイザペン１３が接触したことを示す接触信号を出力する。デジタイザペン１３がカバー１２ｄの表面から離されると、巻線コイルの縮みが解消されるため、デジタイザセンサ１２ｃのセンサコイルに流れる電流量が変化する。デジタイザセンサ１２ｃは、この電流量の変化に応じて、デジタイザペン１３が離間したことを示す離間信号を出力する。
【００２７】
図２（ａ）、（ｂ）に示すように、情報端末装置１の上面（Ｙ軸負側のＸＺ平面に平行な面）には、タッチ切替スイッチ１４が配置されている。タッチ切替スイッチ１４は、スライドスイッチであり、ユーザによりＸ軸方向に移動可能に構成されている。タッチ切替スイッチ１４は、タッチパッド１２ｂに対するタッチ入力を有効および無効にするための操作を受け付ける。タッチ切替スイッチ１４が、図２（ａ）に示すようにＸ軸負方向に移動されオンとなると、タッチパッド１２ｂに対するタッチ入力が有効に切り替えられる。他方、タッチ切替スイッチ１４が、図２（ｂ）に示すようにＸ軸正方向に移動されオフとなると、タッチパッド１２ｂに対するタッチ入力が無効に切り替えられる。
【００２８】
図２（ｃ）に示すように、情報端末装置１の右側面（Ｘ軸正側のＹＺ平面に平行な面）には、音量大ボタン１５と、音量小ボタン１６と、電源ボタン１７と、が配置されている。これらボタンは、ユーザにより押下可能に構成されている。音量大ボタン１５が押下されると、スピーカー２２（図３参照）から出力される音量が大きくなり、音量小ボタン１６が押下されると、スピーカー２２から出力される音量が小さくなる。情報端末装置１の電源がオフのときに電源ボタン１７が押下されると、情報端末装置１の電源がオンとなり、情報端末装置１の電源がオンのときに電源ボタン１７が押下されると、情報端末装置１の電源がオフとなる。
【００２９】
図３は、情報端末装置１の構成を示すブロック図である。
【００３０】
情報端末装置１は、図１（ａ）〜図２（ｃ）に示したように、液晶表示部１２ａと、タッチパッド１２ｂと、デジタイザセンサ１２ｃと、デジタイザペン１３と、タッチ切替スイッチ１４と、音量大ボタン１５と、音量小ボタン１６と、電源ボタン１７と、を備える。また、情報端末装置１は、制御部２１と、スピーカー２２と、電源供給部２３と、二次電池２４と、を備える。制御部２１と、スピーカー２２と、電源供給部２３と、二次電池２４は、図１（ａ）に示す筐体１１内に収容されている。
【００３１】
制御部２１は、ＣＰＵと、ＲＯＭやＲＡＭ等からなる記憶部２１ａと、を含む。記憶部２１ａは、各種のプログラム、ならびに、後述する強制解除フラグ、第１閾値、および第２閾値を記憶している。制御部２１は、情報端末装置１の各部から信号を受信し、記憶部２１ａに記憶されたプログラムに従って、情報端末装置１の各部を制御する。
【００３２】
制御部２１には、記憶部２１ａに保持されたプログラムによって、手書きアプリ実行部２１ｂの機能が付与される。手書きアプリ実行部２１ｂは、手書きアプリケーションを起動および停止し、タッチパッド１２ｂから出力される座標信号および面積信号、ならびに、デジタイザセンサ１２ｃから出力される座標信号、接触信号および離間信号に応じた手書き機能を実行する。手書きアプリケーションは、液晶表示部１２ａに表示された任意の画像の上に重ねて手書きをすることができるノートアプリケーションが含まれる。
【００３３】
ノートアプリケーションの場合、タッチパッド１２ｂの座標信号が検出されると、座標信号と面積信号に応じて、液晶表示部１２ａに対する線の描画が行われる。タッチパッド１２ｂの座標信号が検出されなくなると、線の描画が終了される。デジタイザペン１３の接触信号が検出されると、デジタイザセンサ１２ｃの座標信号に応じて、液晶表示部１２ａに対する線の描画が開始される。その後、デジタイザペン１３の離間信号が検出されるまで、デジタイザペン１３の移動により出力された座標信号に応じて線が描画される。デジタイザペン１３の離間信号が検出されると、線の描画が終了される。画像の保存処理が実行されることにより、手書きの線や文字などの画像が背景画像とともに記憶部２１ａに記憶される。
【００３４】
電源供給部２３は、二次電池２４の充電状態を監視し、外部から接続された商用電源を二次電池２４に供給する。これにより、二次電池２４が充電される。
【００３５】
図４は、タッチパッド１２ｂがタッチ入力を検出した場合の、制御部２１による処理を示すフローチャートである。図４の処理は、タッチパッド１２ｂがタッチ入力を検出し、制御部２１がタッチパッド１２ｂから出力された座標信号および面積信号を受信すると開始される。
【００３６】
制御部２１は、タッチパッド１２ｂから座標信号および面積信号を受信すると、タッチ切替スイッチ１４がオンであるか否かを判定する（Ｓ１１）。タッチ切替スイッチ１４がオンである場合（Ｓ１１：ＹＥＳ）、制御部２１は、デジタイザペン１３がデジタイザセンサ１２ｃに近接しているか否かを判定する（Ｓ１２）。上述したように、デジタイザペン１３の巻線コイルに誘導起電力が生じる距離までデジタイザペン１３がデジタイザセンサ１２ｃに近接すると、デジタイザセンサ１２ｃから座標信号が出力される。制御部２１は、デジタイザセンサ１２ｃから座標信号を受信すると、デジタイザペン１３がデジタイザセンサ１２ｃに近接していると判定し、デジタイザセンサ１２ｃから座標信号を受信していないと、デジタイザペン１３がデジタイザセンサ１２ｃに近接していないと判定する。
【００３７】
デジタイザペン１３がデジタイザセンサ１２ｃに近接していない場合（Ｓ１２：ＮＯ）、制御部２１は、タッチパッド１２ｂの検出信号に高レベルノイズが重畳しているか否かを判定する（Ｓ１３）。
【００３８】
ここで、液晶表示部１２ａや電源供給部２３等から生じたノイズは、グラウンドに繋がるラインを介してタッチパッド１２ｂに入力されることが起こりうる。このようなノイズがタッチパッド１２ｂに入力されると、タッチパッド１２ｂから制御部２１へ出力される信号に、ノイズ成分が重畳されることになる。そこで、記憶部２１ａは、タッチ入力が行われていると判定するための第１閾値と、ノイズを判定するための第２閾値とを記憶している。第１閾値は、第２閾値よりも大きい。Ｓ１３では、制御部２１は、タッチパッド１２ｂの検出信号が、第１閾値よりも小さく、且つ、第２閾値よりも大きい場合に、タッチパッド１２ｂの検出信号に高レベルノイズが重畳していると判定する。
【００３９】
タッチパッド１２ｂの検出信号に高レベルノイズが重畳していない場合（Ｓ１３：ＮＯ）、制御部２１は、タッチパッド１２ｂから受信した座標信号および面積信号を、タッチイベントとして手書きアプリ実行部２１ｂに通知する（Ｓ１４）。これにより、手書きアプリ実行部２１ｂは、タッチパッド１２ｂから出力される座標信号および面積信号に応じた手書き機能を実行する。
【００４０】
他方、デジタイザペン１３がデジタイザセンサ１２ｃに近接している場合（Ｓ１２：ＹＥＳ）、制御部２１は、Ｓ１４を実行せずに処理を終了させる。この場合、制御部２１は、タッチパッド１２ｂから受信した座標信号および面積信号を、タッチイベントとして手書きアプリ実行部２１ｂに通知しない。すなわち、ユーザがタッチパッド１２ｂに対して行ったタッチ入力は無効となる。また、タッチパッド１２ｂの検出信号に高レベルノイズが重畳している場合（Ｓ１３：ＹＥＳ）、制御部２１は、Ｓ１４を実行せずに処理を終了させる。この場合も、制御部２１は、タッチパッド１２ｂから受信した座標信号および面積信号を、タッチイベントとして手書きアプリ実行部２１ｂに通知しない。
【００４１】
次に、タッチ切替スイッチ１４がオフである場合（Ｓ１１：ＮＯ）、制御部２１は、強制解除フラグがオンであるか否かを判定する（Ｓ１５）。強制解除フラグは、情報端末装置１が起動したときに、予めオフに対応する値（たとえば０）とされる。強制解除フラグは、後述するように、強制解除フラグをオンにする処理によって、オンに対応する値（たとえば１）とされる。強制解除フラグがオフの場合（Ｓ１５：ＮＯ）、制御部２１は、Ｓ１２〜Ｓ１４の処理を実行せずに、処理を終了させる。すなわち、タッチ切替スイッチ１４がオフのときに、強制解除フラグがオフであれば、ユーザがタッチパッド１２ｂに対して行ったタッチ入力は無効となる。
【００４２】
他方、強制解除フラグがオンの場合（Ｓ１５：ＹＥＳ）、処理がＳ１２に進められる。この場合、Ｓ１２、Ｓ１３においてＮＯと判定されれば、タッチパッド１２ｂから出力される座標信号および面積信号に応じた手書き機能が実行される。すなわち、タッチ切替スイッチ１４がオフであっても、強制解除フラグがオンであれば、ユーザがタッチパッド１２ｂに対して行ったタッチ入力は有効となり得る。
【００４３】
図５は、情報端末装置１の側面に配されたボタンが押された場合の、制御部２１による処理を示すフローチャートである。図５の処理は、音量大ボタン１５、音量小ボタン１６および電源ボタン１７のうち、１以上のボタンが押されたことを制御部２１が検出すると開始される。
【００４４】
制御部２１は、所定の多重押しが行われたか否かを判定する（Ｓ２１）。具体的には、制御部２１は、音量大ボタン１５と電源ボタン１７が同時に押されたか否かを判定する。所定の多重押しが行われてない場合（Ｓ２１：ＮＯ）、制御部２１は、押されたボタンに対応する処理を行う（Ｓ２２）。たとえば、音量大ボタン１５が押された場合、制御部２１は、スピーカー２２が出力する音声のレベルを高く設定し、音量小ボタン１６が押された場合、制御部２１は、スピーカー２２が出力する音声のレベルを低く設定する。また、電源ボタン１７が押された場合、制御部２１は、情報端末装置１の電源をオフにする。
【００４５】
所定の多重押しが行われた場合（Ｓ２１：ＹＥＳ）、制御部２１は、所定の多重押しが継続しているか否かを判定する（Ｓ２３）。所定の多重押しが継続している場合（Ｓ２３：ＹＥＳ）、制御部２１は、所定時間（たとえば５秒）が経過したか否かを判定する（Ｓ２４）。所定時間が経過していない場合（Ｓ２４：ＮＯ）、制御部２１は、処理をＳ２３に戻す。こうして、所定の多重押しが所定時間継続された場合（Ｓ２４：ＹＥＳ）、制御部２１は、強制解除フラグをオンにする（Ｓ２５）。これにより、強制解除フラグはオンに対応する値（たとえば１）とされる。他方、所定の多重押しが所定時間継続されなかった場合（Ｓ２３：ＮＯ）、制御部２１は、Ｓ２５の処理を実行せずに、処理を終了させる。
【００４６】
図６（ａ）、（ｂ）は、タッチ切替スイッチ１４がオンのときの入力について説明する図である。図６（ａ）は、ユーザがカバー１２ｄ上でタッチ入力を行っている状態を示す図である。図６（ｂ）は、ユーザがカバー１２ｄ上でデジタイザペン１３による入力を行っている状態を示す図である。
【００４７】
図６（ａ）の場合、デジタイザペン１３が近接せず、且つ、タッチパッド１２ｂの検出信号に高レベルノイズが重畳されない限り、タッチパッド１２ｂから出力される信号に応じて手書き機能が実行される。
【００４８】
図６（ｂ）の場合、デジタイザセンサ１２ｃから出力される信号に応じて手書き機能が実行される。ここで、デジタイザペン１３の巻線コイルに誘導起電力が生じるときの、デジタイザペン１３の先端１３ａからカバー１２ｄまでの距離をＤとすると、デジタイザペン１３による手書きが行われる際には、概ね、先端１３ａはカバー１２ｄから距離Ｄの範囲内に入る。この場合、図４のＳ１２においてＹＥＳと判定されるため、タッチイベントが通知されることはない。したがって、デジタイザペン１３を持つ手がカバー１２ｄに接触することによる意図しないタッチ入力が抑制される。
【００４９】
図７（ａ）、（ｂ）は、タッチ切替スイッチ１４がオフのときの入力について説明する図である。図７（ａ）は、ユーザがデジタイザペン１３による入力を開始する前に、反対側の手でカバー１２ｄを押さえている状態を示す図である。図７（ｂ）は、ユーザが、図７（ａ）に示す状態からデジタイザペン１３を持つ手をカバー１２ｄまで下降させ、カバー１２ｄ上でデジタイザペン１３による入力を行っている状態を示す図である。
【００５０】
図７（ａ）の場合、デジタイザペン１３の先端１３ａは、カバー１２ｄから距離Ｄの範囲外にある。しかしながら、タッチ切替スイッチ１４がオフであるため、強制解除フラグがオンでない限り、タッチイベントが通知されることはない。したがって、カバー１２ｄを押さえる手がカバー１２ｄに接触することによる意図しないタッチ入力が抑制される。
【００５１】
図７（ｂ）の場合、デジタイザセンサ１２ｃから出力される信号に応じて手書き機能が実行される。この場合も、タッチ切替スイッチ１４がオフであるため、強制解除フラグがオンでない限り、タッチイベントが通知されることはない。したがって、デジタイザペン１３を持つ手およびカバー１２ｄを押さえる手がカバー１２ｄに接触することによる意図しないタッチ入力が抑制される。
【００５２】
＜実施形態の効果＞
以上、本実施形態によれば、以下の効果が奏される。
【００５３】
ユーザは、デジタイザペン１３による入力を行う際に、タッチ切替スイッチ１４をオフにすることにより、タッチ入力を無効にできる。また、タッチ切替スイッチ１４がオンの場合にも、ユーザによりデジタイザペン１３がデジタイザセンサ１２ｃに近付けられると、タッチ入力が無効とされる。これにより、ユーザは、デジタイザペン１３による入力を行う際に、誤ってタッチ入力が受け付けられてしまうことを確実に防止できる。
【００５４】
また、デジタイザペン１３とデジタイザセンサ１２ｃは、電磁式のデジタイザを構成している。このようにデジタイザペン１３とデジタイザセンサ１２ｃが構成されると、デジタイザペン１３による入力を受け付けること、および、デジタイザペン１３の近接を検出することを、簡素な構成で実現できる。
【００５５】
また、制御部２１は、タッチパッド１２ｂからの信号を手書きアプリ実行部２１ｂに通知しないことにより、タッチパッド１２ｂに対するタッチ入力を無効にする。これにより、タッチパッド１２ｂに対するタッチ入力を円滑に無効にすることができる。すなわち、タッチ入力を無効にするためにタッチパッド１２ｂの動作自体が無効にされるような場合、タッチ入力の有効および無効の切り替えを迅速に行うことは困難である。また、この場合、タッチ入力の有効および無効の切り替えが連続的に行われると、タッチパッド１２ｂが異常状態となりやすくなる。しかしながら、本実施形態のように、タッチ入力を無効にするためにタッチパッド１２ｂからの信号を手書きアプリ実行部２１ｂに通知しないようにすると、上記のような場合に比べて、タッチパッド１２ｂに対するタッチ入力を円滑に無効にすることができる。
【００５６】
また、タッチ切替スイッチ１４は、タッチパッド１２ｂに対するタッチ入力を有効および無効に切り替えるための入力を受け付ける。これにより、ユーザは、タッチ入力を無効にしたい場合に、容易にタッチ入力を無効に切り替えることができる。
【００５７】
また、ユーザは、タッチ入力を行う際に、タッチ切替スイッチ１４をオンにすることにより、タッチ入力を有効にできる。これにより、ユーザは、タッチパッド１２ｂに対するタッチ入力を有効および無効に切り替えることができる。
【００５８】
また、ユーザは、タッチ切替スイッチ１４をオフにしてタッチ入力を無効に切り替えた後でも、所定の多重押しを所定時間継続することにより強制解除フラグをオンにし、タッチ入力を有効にすることができる。これにより、たとえばタッチ切替スイッチ１４の故障によりタッチ切替スイッチ１４をオンにすることが出来なくなった場合でも、ユーザはタッチ入力を有効にすることができる。
【００５９】
また、所定の多重押しは、音量大ボタン１５と電源ボタン１７が同時に押されることにより実現される。このように、所定の多重押しは通常の使用状況では起こりにくい。したがって、タッチ切替スイッチ１４がオフにされタッチ入力が無効にされた後で、ユーザの意図に反してタッチ入力が有効になってしまうことを防止できる。
【００６０】
また、タッチパッド１２ｂの検出信号にノイズが重畳された場合、タッチパッド１２ｂは一時的に無効とされる。したがって、たとえば情報端末装置１内のノイズによりタッチパッド１２ｂにノイズが重畳されたような場合、タッチパッド１２ｂの検出信号をもとに情報端末装置１が誤動作してしまうことを防止できる。
【００６１】
以上、本発明の実施形態について説明したが、本発明は上記実施形態に何ら制限されるものではない。
【００６２】
たとえば、上記実施形態では、ペンを用いた入力が、電磁式のデジタイザペン１３とデジタイザセンサ１２ｃにより行われたが、ペンによる入力およびペンが近接していることの検出が可能であれば、他の方式の手書き入力デバイスにより行われても良い。
【００６３】
また、上記実施形態では、タッチパッド１２ｂは、静電容量式のタッチパッドとされたが、感圧式、光検出式等、他の方式のタッチパッドであっても良い。タッチパッド１２ｂとして他の方式のタッチパッドが用いられる場合も、上記実施形態と同様、タッチパッド１２ｂに高レベルノイズが重畳されると、タッチパッド１２ｂが一時的に無効とされる。
【００６４】
また、上記実施形態では、タッチ切替スイッチ１４は、スライドスイッチであったが、これに限らず、プッシュスイッチ等の他のメカニカルスイッチであっても良い。
【００６５】
また、上記実施形態では、デジタイザペン１３付近のデジタイザセンサ１２ｃのセンサコイルに誘導起電力が生じた場合に、デジタイザペン１３がデジタイザセンサ１２ｃに近接していると判定された。しかしながら、これに限らず、デジタイザペン１３付近のセンサコイルに生じた誘導起電力が所定値以上になった場合に、デジタイザペン１３がデジタイザセンサ１２ｃに近接していると判定されても良い。
【００６６】
また、上記実施形態では、デジタイザセンサ１２ｃにデジタイザペン１３が近接しているか否かの判定は、制御部２１により行われたが、情報端末装置１に配された他の制御部により判定されても良い。
【００６７】
また、上記実施形態では、制御部２１は、タッチパッド１２ｂから受信した座標信号および面積信号を、タッチイベントとして手書きアプリ実行部２１ｂに通知しないことにより、タッチパッド１２ｂに対するタッチ入力を無効にした。しかしながら、これに限らず、制御部２１は、タッチパッド１２ｂの動作を無効にすることにより、タッチパッド１２ｂに対するタッチ入力を無効にしても良い。ただし、この場合、上述したようにタッチパッド１２ｂに対するタッチ入力が円滑に無効にできなくなる可能性があるため、上記実施形態のようにタッチパッド１２ｂに対するタッチ入力が無効にされるのが望ましい。
【００６８】
また、上記実施形態では、所定の多重押しが所定時間継続され、強制解除フラグがオンとなることにより、強制的にタッチ入力が有効とされた。しかしながら、これに限らず、タッチ切替スイッチ１４により、情報端末装置１に対するタッチ入力のモードが、有効モードおよび無効モードに切り替えられても良い。この場合、所定の多重押しが所定時間継続されると、情報端末装置１に対するタッチ入力のモードが有効モードに切り替えられることにより、タッチ入力が有効とされても良い。
【００６９】
また、上記実施形態では、タッチ切替スイッチ１４によりタッチ入力が有効および無効に切り替えられた。しかしながら、これに限らず、液晶表示部１２ａに表示される切り替えのためのメニュー画面を介して、タッチ入力が切り替えられても良い。この場合、ユーザは、タッチ入力が有効であるとき、デジタイザペン１３およびタッチ入力によりメニュー画面を操作してタッチ入力を無効に切り替える。また、ユーザは、タッチ入力が無効であるとき、デジタイザペン１３によりメニュー画面を操作してタッチ入力を有効に切り替える。
【００７０】
なお、このような変更例では、上記のようにタッチ入力が無効のときのメニュー画面の操作は、デジタイザペン１３により行われる。このとき、デジタイザペン１３を紛失してしまうような事態が生じると、メニュー画面の操作ができなくなってしまう。しかしながら、上記実施形態によれば、所定の多重押しを所定時間継続することにより強制解除フラグをオンにすることができるため、デジタイザペン１３を紛失したような場合でも、タッチ入力を有効にすることができる。
【００７１】
また、上記実施形態では、所定の多重押しが所定時間継続されることにより、強制解除フラグがオンにされたが、さらに、強制解除フラグがオンになった後、所定の多重押しが所定時間継続されることにより、強制解除フラグがオフにされても良い。
【００７２】
図８は、この場合の制御部２１の処理を示すフローチャートである。図８のフローチャートは、図５のフローチャートと比較して、Ｓ２４とＳ２５の間にＳ３１が追加され、Ｓ３１のＮＯ側にＳ３２が追加されている。
【００７３】
この場合、Ｓ２３、Ｓ２４により所定の多重押しが所定時間継続しているか否かが判定された後、制御部２１は、現在の強制解除フラグがオフであるか否かを判定する（Ｓ３１）。現在の強制解除フラグがオフであると（Ｓ３１：ＹＥＳ）、制御部２１は、強制解除フラグをオンにする（Ｓ２５）。他方、現在の強制解除フラグがオンであると（Ｓ３１：ＮＯ）、制御部２１は、強制解除フラグをオフにする（Ｓ３２）。これにより、強制解除フラグをオンにして、強制的にタッチ入力を有効にした後でも、強制解除フラグをオフにして、再度タッチ入力を無効にできる。
【００７４】
また、上記実施形態では、強制解除フラグは、音量大ボタン１５と電源ボタン１７の同時押しが所定時間継続されることによりオンされたが、タッチパッド１２ｂに対して所定のタッチ入力が行われることによりオンされても良い。たとえば、タッチ領域の左上隅および右下隅を同時に所定時間継続してタッチ入力することにより、強制解除フラグがオンされても良い。
【００７５】
図９は、この場合の制御部２１の処理を示すフローチャートである。図９のフローチャートは、図４のフローチャートと比較して、Ｓ１１の前にＳ４１が追加され、Ｓ４１のＹＥＳ側にＳ４２〜Ｓ４４が追加されている。なお、この変更例では、図５に示す強制解除フラグをオンにするための処理は省略される。
【００７６】
この場合、制御部２１は、タッチパッド１２ｂから出力された座標信号および面積信号を受信すると、受信した信号に基づいて所定の多重タッチが行われたか否かを判定する（Ｓ４１）。具体的には、制御部２１は、タッチ領域の左上隅および右下隅が同時に押されたか否かを判定する。所定の多重タッチが行われていない場合（Ｓ４１：ＮＯ）、制御部２１は、処理をＳ１１に進めて、上述したようにＳ１１以降の処理を行う。
【００７７】
所定の多重タッチが行われている場合（Ｓ４１：ＹＥＳ）、制御部２１は、所定の多重タッチが継続しているか否かを判定する（Ｓ４２）。所定の多重タッチが継続している場合（Ｓ４２：ＹＥＳ）、制御部２１は、所定時間（たとえば５秒）が経過したか否かを判定する（Ｓ４３）。所定時間が経過していない場合（Ｓ４３：ＮＯ）、制御部２１は、処理をＳ４２に戻す。こうして、所定の多重タッチが所定時間継続された場合（Ｓ４３：ＹＥＳ）、制御部２１は、強制解除フラグをオンにし（Ｓ４４）、処理をＳ１５に進める。他方、所定の多重タッチが所定時間継続されなかった場合（Ｓ４２：ＮＯ）、制御部２１は、Ｓ４４の処理を実行せずに、処理をＳ１１に進める。この変更例においても、上記実施形態と同様、タッチ切替スイッチ１４がオフであっても、強制解除フラグがオンされることによりタッチ入力が有効となり得る。
【００７８】
この他、本発明の実施形態は、特許請求の範囲に示された技術的思想の範囲内において、適宜、種々の変更が可能である。
【符号の説明】
【００７９】
１  情報端末装置
１２ｂ  タッチパッド（第１入力受付部）
１２ｃ  デジタイザセンサ（第２入力受付部）
１３  デジタイザペン（筆記具）
１４  タッチ切替スイッチ（操作部）
１５  音量大ボタン（復帰操作部）
１７  電源ボタン（復帰操作部）
２１  制御部
２１ｂ  手書きアプリ実行部（実行部）
【図１】
2016218884.tif 000003
【図２】
2016218884.tif 000004
【図３】
2016218884.tif 000005
【図４】
2016218884.tif 000006
【図５】
2016218884.tif 000007
【図６】
2016218884.tif 000008
【図７】
2016218884.tif 000009
【図８】
2016218884.tif 000010
【図９】
2016218884.tif 000011